(57)【要約】 【課題】本発明は、パソコン、テレビ、電話等の電気機器周辺のコード及び紐状部材などをまとめ、電気機器周辺の清掃をしやすくするとともに、外観上の見栄えを向上させるコード集束具を提供する。【解決手段】本発明は、複数本の線材が束ねられて収納されるコード集束具であって、前記線材の延在方向と平行方向に延在する筒状体に、その延在方向に沿って切り込み部が形成され、前記切り込み部に一部の線材を導出する開口部が形成され、切り込み部の少なくとも一端に前記線材を導入するための切欠き部若しくは凹部が形成され、前記筒状体は少なくとも一部が蛇腹状に形成され、切り込み端部が合わさる部分に切り込み端部を接触させ保持させる接触保持部を設け、また筒状体は着脱可能に連結するための連結部を設けたことを特徴とする。【選択図】  図1
2015039257.tif 000002
【特許請求の範囲】
【請求項１】
複数本の線材が束ねられて収納されるコード集束具であって、前記線材の延在方向と平行方向に延在する筒状体に、その延在方向に沿って切り込み部が形成され、前記切り込み部に一部の線材を導出する開口部が形成されていることを特徴とするコード集束具。
【請求項２】
複数本の線材が束ねられて収納されるコード集束具であって、前記線材の延在方向と平行方向に延在する筒状体に、その延在方向に沿って切り込みが形成され、切り込み部の少なくとも一端に前記線材を導入するための切欠き部若しくは凹部が形成されていることを特徴とするコード集束具。
【請求項３】
複数本の線材が束ねられて収納されるコード集束具であって、前記線材の延在方向と平行方向に延在する筒状体に、その延在方向に沿って切り込み部が形成され、前記切り込み部に一部の線材を導出する開口部が形成され、切り込み部の少なくとも一端に前記線材を導入するための切欠き部若しくは凹部が形成されていることを特徴とするコード集束具。
【請求項４】
前記線材を導出する開口部は、切り込み部より連通し、切り込み部と開口部の間に閉塞部を設けたことを特徴とする請求項１及び３のいずれか１項に記載のコード集束具。
【請求項５】
前記筒状体は、少なくとも一部が蛇腹状に形成されていることを特徴とする請求項１から４のいずれか１項に記載のコード集束具。
【請求項６】
前記筒状体は、切り込み端部が合わさる部分に切り込み端部を接触させ保持させる接触保持部を設けたことを特徴とする請求項１から５のいずれか１項に記載のコード集束具。
【請求項７】
前記筒状体は、筒状体の端部に他の筒状体を着脱可能に連結するための連結部を設けたことを特徴とする請求項１から６のいずれか１項に記載のコード集束具。
【発明の詳細な説明】
【技術分野】
【０００１】
本発明は、パソコン、テレビ、電話等の電気機器周辺のコードをまとめ収納するためのコード集束具に関する。なお、ここでコードとは電気コードはもちろんその他の紐状部材も含むものである。
【背景技術】
【０００２】
従来より、パソコン、テレビ、電話等の電気機器周辺の複数のコードは、無造作に床や机の上を這わせていたが傷が付く心配がある。また、埃が溜まりやすく美観上も問題があった。また、コードをまとめて結束するために、バンド等を用いて結束していた。
【０００３】
このため、コード集束器としては、特許文献１に示すようなコード結束装置およびコード結束方法や、特許文献２に示す電気コード安全保護集束器が開示されている。
【０００４】
ところが、特許文献１のコード結束装置およびコード結束方法は、収納チューブとコード結束具とからなり、コードをチューブに挿入するためにはコード結束具を必要とし不経済である。
【０００５】
また、特許文献２の電気コード安全保護集束器も同様でコードをチューブに挿入するためのクリップが必要である。
【先行技術文献】
【特許文献】
【０００６】
【特許文献１】特開２００４-３２９０００
【特許文献２】実用新案登録第３１０３５３４
【発明の概要】
【発明が解決しようとする課題】
【０００７】
本発明は、上記のような課題を解決し、コードを電気機器から取り外さずに簡単な作業でパソコン、テレビ、電話等の電気機器周辺の複数のコードをまとめ、清掃しやすく、外観上の見栄えを向上させることができ、また安価に製造できるコード集束具を提供しようとするものである。また複数の紐状部材をまとめて収納することもできる。
【課題を解決するための手段】
【０００８】
上記課題を解決するために、本発明は、複数本の線材が束ねられて収納されるコード集束具であって、前記線材の延在方向と平行方向に延在する筒状体に、その延在方向に沿って切り込み部が形成され、前記切り込み部に一部の線材を導出する開口部が形成されていることを特徴とするものである。
【０００９】
また、請求項２の発明では、複数本の線材が束ねられて収納されるコード集束具であって、前記線材の延在方向と平行方向に延在する筒状体に、その延在方向に沿って切り込みが形成され、切り込み部の少なくとも一端に前記線材を導入するための切欠き部若しくは凹部が形成されていることを特徴とするものである。
【００１０】
また、請求項３の発明では、複数本の線材が束ねられて収納されるコード集束具であって、前記線材の延在方向と平行方向に延在する筒状体に、その延在方向に沿って切り込み部が形成され、前記切り込み部に一部の線材を導出する開口部が形成され、切り込み部の少なくとも一端に前記線材を導入するための切欠き部若しくは凹部が形成されていることを特徴とするものである。
【００１１】
また、請求項４の発明では、前記線材を導出する開口部は切り込み部より連通し、切り込み部と開口部の間に閉塞部を設けたことを特徴とするものである。
【００１２】
また、請求項５の発明では、前記筒状体は、少なくとも一部が蛇腹状に形成されていることを特徴とするものである。
【００１３】
また、請求項６の発明では、前記筒状体は、切り込み端部が合わさる部分に切り込み端部を接触させ保持させる接触保持部を設けたことを特徴とするものである。
【００１４】
また、請求項７の発明では、前記筒状体は、筒状体の端部に他の筒状体を着脱可能に連結するための連結部を設けたことを特徴とするものである。
【発明の効果】
【００１５】
本発明は、増加する一方のパソコン、テレビ、電話等の電気機器周辺の複数のコードや紐状部材などを整理して機能的に収納することができる。また外観上の見栄えが向上し、掃除がしやすくなる。
【図面の簡単な説明】
【００１６】
【図１】本発明の実施形態１におけるコード集束具の斜視図である。
【図２】同実施形態１におけるコード集束具の正面図である。
【図３】同実施形態１におけるコード集束具の断面図である。
【図４】同実施形態１におけるコード集束具の側面図である。
【図５】同実施形態１におけるコード集束具の連結を示す正面図である。
【図６】本発明の実施形態２におけるコード集束具の正面図である。
【図７】本発明の実施形態３におけるコード集束具の斜視図である。
【図８】本発明の実施形態４におけるコード集束具の断面図である。
【図９】本発明の実施形態５におけるコード集束具の斜視図である。
【図１０】本発明の実施形態６におけるコード集束具の斜視図である。
【図１１】本発明の各実施形態におけるさまざまな通孔の拡大図である。
【発明を実施するための形態】
【００１７】
以下、本発明の実施形態について図面を参照して説明する。
図１は、本発明の実施形態１を示すコード集束具の斜視図で、複数のコードを本実施形態のコード集束具に収納した例である。コードを収納する筒状体１は、弾性材料からなり、筒状体１の一端から他端まで延在方向に沿って切り込み２を設け、切り込み２の両端には、コードを導入するための切欠き部４が設けられている。挿通部３aより前記切欠き部４aにコード６を押圧し、他方の挿通部３b、又は通孔５までコード６を引っ張るようにスライドさせ、コード６を筒状体１に収納しながら挿通部３b又は通孔５より引き出す。筒状体１は弾力性があるため切り込み部分がコード通過時に押し広げられて開口し、通過後は復元力によって元の状態にもどり切り込み２が閉じる。また挿通部３に切欠き部４を設けることにより、コードを押圧する際コード位置が安定しコードを挿入しやすい効果がある。また切欠きでなく凹型に形成してもコードを挿入しやすい効果がある。また筒状体１を蛇腹状７にすることで屈曲自在に曲げることができる。また筒状体１をカッターなどで簡単に切ることができる材料で成形すれば簡単に必要な長さにできる。この実施形態では、筒状体１の断面を円形としているが、楕円形や方形でもよい。
【００１８】
図２は、本発明の実施形態１のコード集束具の正面図である。切り込み２と連通して通孔５を複数千鳥に設けている。電気機器のコード位置により、適当な距離に位置する通孔５よりコード６を挿入、又は収納されているコードを引き出す。この実施形態では、通孔５は半円形状としているが、方形などどのような形でもよい。
【００１９】
図３は、本発明の実施形態１のコード集束具の断面図である。円形状の筒状体１に複数のコード６が収納されている。また、蛇腹部７の切り込み端面１５が凹凸になっていることで対向する切り込み端面１５同士がぶつかり巻き込み防止になる。
【００２０】
図４は、本発明の実施形態１のコード集束具の側面図である。切り込み２の一端を凹部９にした例である。このように凹部９にすることでコード６を押圧する際、コード位置が安定しコード６を筒状体に挿入しやすい効果がある。
【００２１】
図５は、本発明の実施形態１のコード集束具に他のコード集束具１を複数連結し長くした例である。本実施形態においては、筒状体１の一端の連結部１２aの直径は他端の連結部１２bの直径よりも大きくもしくは小さくし、嵌合により差し込み連結可能としている。このような構成とすることで容易に連結できる。ただ連結部１２の形状は本実施形態のものに限るものではなく、複数のコード集束具１を相互に連結させることができるものであればいかなるものであってもよい。
【００２２】
図６は、本発明の実施形態２のコード集束具の正面図である。筒状体１に複数の蛇腹部７を設けて、隣接する蛇腹部７の間に直筒部１１を介在させ直筒部１１に通孔５を形成した例で、通孔５を千鳥に設けている。直筒部１１に通孔５を設ける構成にすることで通孔を成形しやすい効果がある。これ以外の構成については、実施形態１と同様である。
【００２３】
図７は、本発明の実施形態３のコード集束具の斜視図である。筒状体１を壁や床などに着脱自在にフック８で取り付けた例である。この例では筒状体１の断面を方形としているが、円形状などでもよい。また図７では切り込み２の位置を側面に設けているが、上面及び下面のどの面に設けてもよい。また筒状体１を硬質材料とし、切り込み部分の面のみ弾性材料としてもよい。またフックは筒状体と一体に形成してもよい。これ以外の構成については、実施形態１と同様である。
【００２４】
図８は、本発明の実施形態４のコード集束具の断面図である。切り込み２の端部の一部又は全てを筒状体１の内側に凹状にした接触保持部１４の変形例である。切り込み２の凹状部分にコード６を押圧した場合コード６が安定し挿入しやすくなる。このことにより切り込み２のどの位置からでもコードが挿入しやすくなる。また、対向する切り込み端部の接触保持部１４同士がぶつかり切り込み端部が内側に巻くのを防止することで筒状体を同じ形状に保つことができる。これ以外の構成については、実施形態１と同様である。
【００２５】
図９は、本発明の実施形態５のコード集束具の斜視図である。筒状体１は端部に向けて挿通部がテーパー状に広がるように形成し、切り込み２の両端を凹部９にした例である。挿通部をテーパー状にすることにより、挿通部３より放射状に複数のコード６が引き出されても切り込み２の端部が開口せず閉じた状態を保つことができる。テーパー状部１３は、図１０では筒状体１に着脱可能としているが、筒状体１の一端または両端に筒状体１と一体に形成してもよい。またまた直筒部１１の挿通部３側に凸状の接触保持部１４を設けている。このことにより対向する接触保持部１４同士がぶつかり切り込み端部が内側に巻くのを防止する。この実施形態では、接触保持部１４を筒状体外周に設けているが、切り込み端部の一部分に設けてもよい。これ以外の構成については、実施形態１と同様である。
【００２６】
図１０は、本発明の実施形態６を示す斜視図である。複数のコードのところどころをコード集束具でまとめたものである。これ以外の構成については、実施形態１と同様である。
【００２７】
図１１は、さまざまな通孔の例である。通孔５aは切り込み２に連通しコード出し入れ部分の通孔を切り込み２より離した位置に設けた例で、通孔５aは円形状の通孔とし、通孔と切り込み２の間に閉塞部を設けている。切り込み２より離した位置に設けることにより、先に収納し通孔５aより引き出されているコード６が邪魔にならずに、よりスムーズに次のコードを挿入することができる。またコードの径よりも狭い閉塞部を設けることで通孔５aより一旦引き出されたコードは位置が安定する。通孔の形状は円形に限定したものではなく楕円形や方形などでもよい。通孔５bは通孔を放射状のスリットにした例である。放射状のスリットにすることでコードが引き出されていないときは通孔の開口部が塞がれ埃が筒状体１に入りにくくなる。通孔５cは切り込みの中央に通孔を設けた例である。
【符号の説明】
【００２８】
１    筒状体
２   切り込み
３   挿通部
４    切欠き部
５    通孔
６    コード
７    蛇腹部
８    フック
９    凹部
１０  閉塞部
１１  直筒部
１２  連結部
１３  テーパー状部
１４  接触保持部
１５  切り込み端面
【図１】
2015039257.tif 000003
【図２】
2015039257.tif 000004
【図３】
2015039257.tif 000005
【図４】
2015039257.tif 000006
【図５】
2015039257.tif 000007
【図６】
2015039257.tif 000008
【図７】
2015039257.tif 000009
【図８】
2015039257.tif 000010
【図９】
2015039257.tif 000011
【図１０】
2015039257.tif 000012
【図１１】
2015039257.tif 000013
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
複数本の線材が束ねられて収納されるコード集束具であって、前記線材の延在方向と平行方向に延在する筒状体は、直筒部と少なくとも一部が蛇腹部で形成され、その延在方向に沿って切り込み部が形成され、前記直筒部の前記切り込み部に一部の線材を導出する通孔が形成されていることを特徴とするコード集束具。
【請求項２】
前記筒状体は複数の蛇腹部、及び隣接する前記蛇腹間に直筒部が形成されていることを特徴とする請求項１に記載のコード集束具。
【請求項３】
前記線材を導出する通孔は、放射状のスリットで形成されていることを特徴とする請求項１又は２のいずれかに記載のコード集束具。
【請求項４】
前記線材を導出する通孔は、切り込み部より連通し、切り込み部と通孔の間に閉塞部を設けたことを特徴とする請求項１から３のいずれかに記載のコード集束具。
【請求項５】
前記筒状体は、筒状体の端部に他の筒状体を着脱可能に連結するための連結部を設けたことを特徴とする請求項１から４のいずれかに記載のコード集束具。
【手続補正２】
【補正対象書類名】明細書
【補正対象項目名】０００８
【補正方法】変更
【補正の内容】
【０００８】
上記課題を解決するために、本発明は、複数本の線材が束ねられて収納されるコード集束具であって、前記線材の延在方向と平行方向に延在する筒状体は、直筒部と少なくとも一部が蛇腹部で形成され、その延在方向に沿って切り込み部が形成され、前記直筒部の前記切り込み部に一部の線材を導出する通孔が形成されていることを特徴とするものである。
【手続補正３】
【補正対象書類名】明細書
【補正対象項目名】０００９
【補正方法】変更
【補正の内容】
【０００９】
また、請求項２の発明では、前記筒状体は複数の蛇腹部、及び隣接する前記蛇腹間に直筒部が形成されていることを特徴とするものである。
【手続補正４】
【補正対象書類名】明細書
【補正対象項目名】００１０
【補正方法】変更
【補正の内容】
【００１０】
また、請求項３の発明では、前記線材を導出する通孔は、放射状のスリットで形成されていることを特徴とするものである。
【手続補正５】
【補正対象書類名】明細書
【補正対象項目名】００１１
【補正方法】変更
【補正の内容】
【００１１】
また、請求項４の発明では、前記線材を導出する通孔は、切り込み部より連通し、切り込み部と通孔の間に閉塞部を設けたことを特徴とするものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、請求項５の発明では、前記筒状体は、筒状体の端部に他の筒状体を着脱可能に連結するための連結部を設けたことを特徴とするものである。